(57)【要約】【課題】脱着可能であり便利な角度測定装置を提供する。【解決手段】本体１１０は、取り外し可能に工具に接続される簡易脱着部１１１を有する。角度センサ１２０は、本体１１０に設けられ、工具の角度を検出する。コントローラ１３０は、本体１１０に設けられ、角度センサ１２０に電気的に接続され、閾値を設定するのに用いる。ディスプレイ１４０は、本体１１０に設けられ、コントローラ１３０に電気的に接続され、角度値の表示に用いる。電力供給器１５０は、本体１１０に設けられ、コントローラ１３０、角度センサ１２０及びディスプレイ１４０に必要な電力を供給する。【選択図】図１
0003181365.tif 000002
【実用新案登録請求の範囲】
【請求項１】
工具に用いられる脱着可能な角度測定装置であって、
取り外し可能に前記工具に接続されている簡易脱着部を有する本体と、
前記本体に設けられており、前記工具の角度を検出する角度センサと、
前記本体に設けられ前記角度センサに電気的に接続されており、閾値を設定するコントローラと、
前記本体に設けられ前記コントローラに電気的に接続されており、前記角度センサにより検出される角度を表示するディスプレイと、
前記本体に設けられており、前記コントローラ、前記角度センサ及び前記ディスプレイに必要な電力を供給する電力供給装置と、
を備える角度測定装置。
【請求項２】
前記閾値は、前記角度センサにより検出される角度であることを特徴とする請求項１に記載の角度測定装置。
【請求項３】
前記コントローラに接続されており、前記角度センサにより検出される角度が前記角度閾値に達すると、警告音を鳴らすブザーをさらに備えることを特徴とする請求項２に記載の角度測定装置。
【請求項４】
前記閾値は、累積角度であることを特徴とする請求項１に記載の角度測定装置。
【請求項５】
前記閾値は、変化角度であることを特徴とする請求項１に記載の角度測定装置。
【請求項６】
前記本体に設けられ前記コントローラに電気的に接続されており、前記閾値を設定するのに用いるボタンセットをさらに備えることを特徴とする請求項１に記載の角度測定装置。
【請求項７】
前記簡易脱着部は、ストラップであることを特徴とする請求項１に記載の角度測定装置。
【請求項８】
前記簡易脱着部は、面ファスナであることを特徴とする請求項１に記載の角度測定装置。
【請求項９】
前記簡易脱着部は、弾性止め輪であることを特徴とする請求項１に記載の角度測定装置。
【考案の詳細な説明】
【技術分野】
【０００１】
本考案は、角度測定装置に関し、特に、脱着可能な角度測定装置に関する。
【背景技術】
【０００２】
現在、レンチは、機械の組み立て又はメンテナンスの場合に広く用いられ、機械又は部品におけるナットのようなネジロック素子に対して、締め付け又は取り外し操作を行う。しかしながら、一部の高精密機械において、ネジロック手段の取り外しには、一定の手順及び適切な角度で操作する必要がある。手動で操作を行う場合、少しでも不注意なことがあれば、ネジロック素子又はネジの穴が崩れて破損し、又は機械自体の機能及び精密度が悪くなる可能性がある。
【０００３】
そのため、力を加えて操作する場合に、実際に加えた力の角度値を直ちに使用者に知らせるために、角度値を即時検出し表示する機能を持つレンチが開示された。しかし、このような角度値の即時検出および表示機能をレンチに内蔵することは、用途及び操作方式が制限されるだけでなく、元々旧型のレンチを持っている使用者が新規のレンチを別に購入しなければならない。このように、使用者に追加の購入費用を生じるだけでなく、すでに所定のレンチ又は角度機能が内蔵されていない特別なレンチを使い慣れた使用者にとっては、きわめて不便である。
【考案の概要】
【考案が解決しようとする課題】
【０００４】
従って、本考案は、上述の問題に鑑みてなされたものであり、その目的は、脱着可能であり便利な角度測定装置を提供することにある。
【課題を解決するための手段】
【０００５】
本考案による角度測定装置は、工具に用いられる脱着可能な角度測定装置であって、本体と、角度センサと、コントローラと、ディスプレイと、電力供給器と、を備える。本体は、取り外し可能に工具に接続される簡易脱着部を有する。角度センサは、本体に設けられ、工具の角度を検出する。コントローラは、本体に設けられ、角度センサに電気的に接続され、閾値を設定する。ディスプレイは、本体に設けられ、コントローラに電気的に接続され、角度センサにより検出される角度を表示する。電力供給器は、本体に設けられ、コントローラ、角度センサ及びディスプレイに必要な電力を供給する。
【０００６】
本考案では、閾値は角度閾値であってもよい。
また、コントローラに接続され、角度センサにより検出される角度が角度閾値に達すると、警告音を鳴らすブザーを更に備えることができる。
本考案では、閾値は、累積角度値であってもよい。
本考案では、閾値は、変化角度値であってもよい。
本考案では、本体に設けられ、コントローラに電気的に接続され、閾値を設定するのに用いるボタンセットを備えることもできる。
本考案では、簡易脱着部は、ストラップ、面ファスナ、又は弾性止め輪であってよい。
【０００７】
これにより、新しいレンチを別に購入しなければならないことにより生じた追加の購入費用を回避することができ、使用者の必要に応じて慣用のレンチに取り付けることができる。
従って、簡易脱着部のデザインによって、本体を異なるレンチに用いることができ、角度測定装置の所望の取付位置を自由に選択することができる。なお、本体の中に、使用者が直接に操作して設定するためのコントローラが設けられる。また、電力供給器のデザインによって、本考案の角度測定装置を、各種の異なるレンチに、外部電力を必要とせずに単独で設置することができ、使用の利便性が大幅に向上する。
【図面の簡単な説明】
【０００８】
【図１】本考案の一実施形態の角度測定装置の構造を示す斜視図である。
【図２】本考案の一実施形態の角度測定装置の応用例を示す模式図である。
【考案を実施するための形態】
【０００９】
（一実施形態）
図１は、本考案の一実施形態の角度測定装置の構造を示す斜視図である。図１に示すように、角度測定装置１００は、工具１０１に用いられ、本体１１０と、角度センサ１２０と、コントローラ１３０と、ディスプレイ１４０と、電力供給器１５０と、を備える。
【００１０】
図２は、本実施形態の角度測定装置の応用例を示す模式図である。図１および図２に示すように。本体１１０は、取り外し可能に工具１０１に接続されるための簡易脱着部１１１を有する。簡易脱着部１１１は、ストラップ、面ファスナ又は弾性止め輪であることが好ましい。簡易脱着部１１１のデザインによって、本体１１０は、異なる寸法又は機能を有する工具に用いられことが可能である。また、工具１０１に設けられる位置を選択することができ、本体１１０は、図２の矢印Ａの方向に沿って位置を変更することができる。
【００１１】
角度センサ１２０は、本体１１０に設けられ、工具１０１の角度値の検出に用いられ、本体１１０に合わせて工具１０１の異なる位置に設けられ、異なる位置で角度を検出することで、角度センサ１２０の精度を向上させることができる。
【００１２】
コントローラ１３０は、本体１１０に設けられ、角度センサ１２０に電気的に接続され、閾値の設定に用いる。ただし、閾値は、例えば、角度センサにより検出される角度、累積角度、変化角度等の様々な選択があり、使用者は、必要に応じて自分で設定することができる。
【００１３】
ディスプレイ１４０は、本体１１０に設けられ、コントローラ１３０に電気的に接続され、角度を表示することができ、使用者が操作の最中に操作する角度を直ちに知ることができるようにする。
【００１４】
電力供給器１５０は、本体１１０に設けられ、コントローラ１３０、角度センサ１２０及びディスプレイ１４０に必要な電力を供給する。本実施形態では、電力供給器１５０を設けて、角度測定装置１００に独立電源を持たせる。これにより、工具１０１自体または外部電源に制限または邪魔されることを抑制することができる。
【００１５】
また、本実施形態の角度測定装置１００は、ブザー１６０と、ボタンセット１７０と、を更に備える。ブザー１６０は、コントローラ１３０に接続され、角度が閾値（例えば、角度閾値、累積角度値、変化角度値等）に達すると、警告音を鳴らして使用者に警告する。
【００１６】
ボタンセット１７０は、本体１１０に設けられ、コントローラ１３０に電気的に接続され、角度を設定するのに用いる。コントローラ１３０で閾値を設定する場合に合わせて、設定の利便性を向上させるために、本実施形態では、ボタンセット１７０を提供して、使用者が直接に操作するようにする。
【００１７】
本実施形態では、簡易脱着部１１１のデザインによって、本体１１０を異なる手工具１０１に用いることができ、本体１１０の所望の取付位置を自由に選択し、角度センサ１２０の感知の精度を向上することができる。また、コントローラ１３０をボタンセット１７０に合わせて、使用者が直接に操作して設定することができ、迅速かつ便利である。また、電力供給器１５０を備えることで、角度測定装置１００を、各種の異なる工具１０１に用いることができ、外部電力を必要としないため、使用の利便性を向上することができる。
【００１８】
本考案の実施形態として上記通り説明したが、これは本考案を限定するものではなく、当業者であれば、本考案の思想から逸脱しない限り、多様の変更や修正を加えることができる。従って、本考案の保護範囲は、実用新案登録請求の範囲で指定した内容を基準とする。
【符号の説明】
【００１９】
１００・・・角度測定装置、
１０１・・・手工具、
１１０・・・本体、
１１１・・・簡易脱着部、
１２０・・・角度センサ、
１３０・・・コントローラ、
１４０・・・ディスプレイ、
１５０・・・電力供給器、
１６０・・・ブザー、
１７０・・・ボタンセット、
Ａ・・・矢印。
【図１】
0003181365.tif 000003
【図２】
0003181365.tif 000004